(57)【要約】【課題】１つの機能の動作の、２つ以上の処理の状況がリアルタイムに確認できるようにした画像処理装置を提供する。【解決手段】送信が開始されると、ページ内の送信済の画像データと、読み取ったが未送信の画像データとが境界を接するように表示される。このようにすれば、画像出力処理中のページの画像出力処理前の部分と画像出力処理後の部分とが異なる表示態様で表示されるとともに、画像入力処理中のページの画像入力処理前の部分と画像入力処理後の部分とが異なる表示態様で表示されるので、画像処理プロセス全体での画像出力処理および画像入力処理がどこまで進んでいるかを容易に把握することができる。【選択図】図１１
2007259350.tif 000002
【特許請求の範囲】
【請求項１】
表示部を備える画像処理装置において、
前記表示部に、画像出力処理中のページを表示するページ表示手段と、
前記ページ上に当該ページの画像出力処理前の部分と画像出力処理後の部分とを異なる表示態様で表示する画像出力処理経過表示手段と
を備えることを特徴とする画像処理装置。
【請求項２】
表示部を備える画像処理装置において、
前記表示部に、画像入力処理中のページを表示するページ表示手段と、
前記ページ上に当該ページの画像入力処理前の部分と画像入力処理後の部分とを異なる表示態様で表示する画像入力処理経過表示手段と
を備えることを特徴とする画像処理装置。
【請求項３】
表示部を備える画像処理装置において、
前記表示部に、画像出力処理中のページおよび画像入力処理中のページを表示するページ表示手段と、
前記画像出力処理中のページ上に当該ページの画像出力処理前の部分と画像出力処理後の部分とを異なる表示態様で表示する画像出力処理経過表示手段と、
前記画像入力処理中のページ上に当該ページの画像入力処理前の部分と画像入力処理後の部分とを異なる表示態様で表示する画像入力処理経過表示手段と
を備えることを特徴とする画像処理装置。
【請求項４】
前記ページ表示手段は、前記表示部に、画像出力処理中のページと画像入力処理中のページとを同時に表示する請求項３記載の画像処理装置。
【請求項５】
前記ページ表示手段は、画像出力処理中のページと画像入力処理中のページとを異なる表示態様で表示する請求項４記載の画像処理装置。
【請求項６】
前記ページ表示手段は、画像出力処理中のページと、画像入力処理中のページとを、前記表示部の異なる位置に表示する請求項３ないし５のいずれか１項に記載の画像処理装置。
【請求項７】
前記ページ表示手段は、前記表示部に、画像出力処理中のページと画像出力処理後のページとを同時に表示する請求項１，請求項３ないし６のいずれか１項に記載の画像処理装置。
【請求項８】
前記ページ表示手段は、画像出力処理中のページと、画像出力処理後のページとを、前記表示部の異なる位置に表示する請求項７記載の画像処理装置。
【請求項９】
前記ページ表示手段は、画像出力処理中のページと、画像出力処理後のページと、画像入力処理中または画像入力処理後で画像出力処理前のページとを、前記表示部の異なる位置に表示する請求項１ないし８のいずれか１項に記載の画像処理装置。
【請求項１０】
前記ページ表示手段は、前記表示部の一方側から、画像入力処理中または画像入力処理後で画像出力処理前のページ，画像出力処理中のページ，および画像出力処理後のページの順で表示する請求項９項に記載の画像処理装置。
【請求項１１】
前記ページ表示手段は、画像出力処理後のページが複数ある場合に、これらのページを表示位置をずらして重ねて表示する請求項７ないし１０のいずれか１項に記載の画像処理装置。
【請求項１２】
前記ページ表示手段は、複数の画像出力処理後のページのうちの、画像出力処理中のページの直前に画像出力処理したページを最上位とするように表示する請求項１１項に記載の画像処理装置。
【請求項１３】
前記ページ表示手段は、画像入力処理中または画像入力処理後で画像出力処理前のページが複数ある場合に、表示位置をずらして重ねて表示する請求項９ないし１２のいずれか１項に記載の画像処理装置。
【請求項１４】
前記ページ表示手段は、複数の画像入力処理中または画像入力処理後で画像出力処理前のページを、画像出力処理中のページの直後に画像出力処理されるページを最上位とするように表示する請求項１３項に記載の画像処理装置。
【請求項１５】
前記画像出力処理が、コピー出力機能，ＦＡＸ送信機能，プリント出力機能，スキャナ出力機能，および可搬型メディア出力機能のうちの少なくとも１つの機能の処理である請求項１，請求項３ないし１４のいずれか１項に記載の画像処理装置。
【請求項１６】
前記画像入力処理が、コピー入力機能，ＦＡＸ受信機能，プリント入力機能，スキャナ入力機能，および可搬型メディア入力機能のうちの少なくとも１つの機能の処理である請求項２ないし１４のいずれか１項に記載の画像処理装置。
【発明の詳細な説明】
【技術分野】
【０００１】
本発明は画像処理装置に関し、特に表示部を備える画像処理装置に関する。
【背景技術】
【０００２】
従来技術には、受信した画像データをリアルタイムに表示できるネットワーク端末装置が公知である（特許文献１参照）。このネットワーク端末装置は、一定量の圧縮データを受信する毎に復号してプレビュー用バッファに書き込むことにより、データの受信と並行して受信したデータのリアルタイム表示を可能としている。
【特許文献１】特開２００４−２８２３８２号公報
【発明の開示】
【発明が解決しようとする課題】
【０００３】
しかしながら、コピー，ＦＡＸ送信，ＦＡＸ受信などの各機能の動作は、コピー機能の動作ならば画像読取処理＋画像記録処理、ＦＡＸ送信機能の動作ならば画像読取処理＋画像送信処理、ＦＡＸ受信機能の動作ならば画像受信処理＋画像記録処理というように、１つの機能の動作において、２つの処理が同時に実行されている。このため、特許文献１記載のリアルタイム表示方法では、１つの機能の動作の、２つの処理の一方の処理の状況しか知ることができないという問題点があった。
【０００４】
本発明の目的は、１つの機能の動作の、２つ以上の処理の状況がリアルタイムに確認できるようにした画像処理装置を提供することにある。
【課題を解決するための手段および発明の効果】
【０００５】
請求項１に係る画像処理装置は、表示部を備える画像処理装置において、前記表示部に、画像出力処理中のページを表示するページ表示手段と、前記ページ上に当該ページの画像出力処理前の部分と画像出力処理後の部分とを異なる表示態様で表示する画像出力処理経過表示手段とを備えることを特徴とする。請求項１に係る画像処理装置によれば、画像出力処理中のページの画像出力処理前の部分と画像出力処理後の部分とが異なる表示態様で表示されるので、当該ページの画像出力処理がどこまで進んでいるかを容易に把握することができる。
【０００６】
請求項２に係る画像処理装置は、表示部を備える画像処理装置において、前記表示部に、画像入力処理中のページを表示するページ表示手段と、前記ページ上に当該ページの画像入力処理前の部分と画像入力処理後の部分とを異なる表示態様で表示する画像入力処理経過表示手段とを備えることを特徴とする。請求項２に係る画像処理装置によれば、画像入力処理中のページの画像入力処理前の部分と画像入力処理後の部分とが異なる表示態様で表示されるので、当該ページの画像入力処理がどこまで進んでいるかを容易に把握することができる。
【０００７】
請求項３に係る画像処理装置は、表示部を備える画像処理装置において、前記表示部に、画像出力処理中のページおよび画像入力処理中のページを表示するページ表示手段と、前記画像出力処理中のページ上に当該ページの画像出力処理前の部分と画像出力処理後の部分とを異なる表示態様で表示する画像出力処理経過表示手段と、前記画像入力処理中のページ上に当該ページの画像入力処理前の部分と画像入力処理後の部分とを異なる表示態様で表示する画像入力処理経過表示手段とを備えることを特徴とする。請求項３に係る画像処理装置によれば、画像出力処理中のページの画像出力処理前の部分と画像出力処理後の部分とが異なる表示態様で表示されるとともに、画像入力処理中のページの画像入力処理前の部分と画像入力処理後の部分とが異なる表示態様で表示されるので、画像処理プロセス全体での画像出力処理および画像入力処理がどこまで進んでいるかを容易に把握することができる。
【０００８】
請求項４に係る画像処理装置は、請求項３記載の画像処理装置において、前記ページ表示手段は、前記表示部に、画像出力処理中のページと画像入力処理中のページとを同時に表示することを特徴とする。請求項４に係る画像処理装置によれば、画像出力処理中のページと画像入力処理中のページとが同時に表示されるので、画像処理プロセス全体での画像入出力処理の進行具合を把握することができる。
【０００９】
請求項５に係る画像処理装置は、請求項４記載の画像処理装置において、前記ページ表示手段は、画像出力処理中のページと画像入力処理中のページとを異なる表示態様で表示することを特徴とする。請求項５に係る画像処理装置によれば、画像出力処理中のページと画像入力処理中のページとが異なる表示態様で表示されるので、画像出力処理中のページと画像入力処理中のページとを容易に識別できる。
【００１０】
請求項６に係る画像処理装置は、請求項３ないし５のいずれか１項に記載の画像処理装置において、前記ページ表示手段は、画像出力処理中のページと、画像入力処理中のページとを、前記表示部の異なる位置に表示することを特徴とする。請求項６に係る画像処理装置によれば、画像出力処理中のページと画像入力処理中のページとが表示部の異なる位置に表示されるので、画像出力処理中のページと画像入力処理中のページとを見比べることが可能になり、両者を容易に識別することができる。
【００１１】
請求項７に係る画像処理装置は、請求項１，請求項３ないし６のいずれか１項に記載の画像処理装置において、前記ページ表示手段は、前記表示部に、画像出力処理中のページと画像出力処理後のページとを同時に表示することを特徴とする。請求項７に係る画像処理装置によれば、画像出力処理中のページと画像出力処理後のページとが同時に表示されるので、画像処理プロセス全体での画像出力処理の進行具合を容易に把握することができる。
【００１２】
請求項８に係る画像処理装置は、請求項７記載の画像処理装置において、前記ページ表示手段は、画像出力処理中のページと、画像出力処理後のページとを、前記表示部の異なる位置に表示することを特徴とする。請求項８に係る画像処理装置によれば、画像出力処理中のページと画像出力処理後のページとが表示部の異なる位置に表示されるので、画像出力処理中のページと画像出力処理後のページとを見比べることが可能になり、両者を容易に識別することができる。
【００１３】
請求項９に係る画像処理装置は、請求項１ないし８のいずれか１項に記載の画像処理装置において、前記ページ表示手段は、画像出力処理中のページと、画像出力処理後のページと、画像入力処理中または画像入力処理後で画像出力処理前のページとを、前記表示部の異なる位置に表示することを特徴とする。請求項９に係る画像処理装置によれば、画像出力処理中のページと、画像出力処理後のページと、画像入力処理中または画像入力処理後で画像出力処理前のページとが異なる位置に表示されるので、画像出力処理中のページと、画像出力処理後のページと、画像入力処理中または画像入力処理後で画像出力処理前のページと見比べることにより、三者を容易に識別することができる。
【００１４】
請求項１０に係る画像処理装置は、請求項９項に記載の画像処理装置において、前記ページ表示手段は、前記表示部の一方側から、画像入力処理中または画像入力処理後で画像出力処理前のページ，画像出力処理中のページ，および画像出力処理後のページの順で表示することを特徴とする。請求項１０に係る画像処理装置によれば、画像入出力処理の経過に合わせた順番でページが表示されるので、画像処理プロセス全体の進行具合を容易に把握することができる。
【００１５】
請求項１１に係る画像処理装置は、請求項７ないし１０のいずれか１項に記載の画像処理装置において、前記ページ表示手段は、画像出力処理後のページが複数ある場合に、これらのページを表示位置をずらして重ねて表示することを特徴とする。請求項１１に係る画像処理装置によれば、複数の画像出力処理後のページが表示位置をずらして重ねて表示されるので、画像処理プロセス全体において画像出力処理後のページが何ページぐらいあるのかを簡単に把握することができる。
【００１６】
請求項１２に係る画像処理装置は、請求項１１項に記載の画像処理装置において、前記ページ表示手段は、複数の画像出力処理後のページのうちの、画像出力処理中のページの直前に画像出力処理したページを最上位とするように表示することを特徴とする。請求項１２に係る画像処理装置によれば、複数の画像出力処理後のページのうちの、画像出力処理中のページの直前に画像出力処理したページが最上位となるように表示されるので、画像出力処理中のページと直前に画像出力処理したページとを見比べることにより、画像出力処理がされなかったページの抜けを容易に発見することができる。
【００１７】
請求項１３に係る画像処理装置は、請求項９ないし１２のいずれか１項に記載の画像処理装置において、前記ページ表示手段は、画像入力処理中または画像入力処理後で画像出力処理前のページが複数ある場合に、表示位置をずらして重ねて表示することを特徴とする。請求項１３に係る画像処理装置によれば、複数の画像入力処理中または画像入力処理後で画像出力処理前のページが表示位置をずらして重ねて表示されるので、画像入力処理中または画像入力処理後で画像出力処理前のページが何ページぐらいあるのかを容易に把握することができる。
【００１８】
請求項１４に係る画像処理装置は、請求項１３項に記載の画像処理装置において、前記ページ表示手段は、複数の画像入力処理中または画像入力処理後で画像出力処理前のページを、画像出力処理中のページの直後に画像出力処理されるページを最上位とするように表示することを特徴とする。請求項１４に係る画像処理装置によれば、画像出力処理中のページの直後に画像出力処理されるページが最上位に表示されるので、画像出力処理中のページと直後に画像出力処理されるページとを見比べることにより、画像入力処理がされなかったページの抜けを容易に発見することができる。
【００１９】
請求項１５に係る画像処理装置は、請求項１，請求項３ないし１４のいずれか１項に記載の画像処理装置において、前記画像出力処理が、コピー出力機能，ＦＡＸ送信機能，プリント出力機能，スキャナ出力機能，および可搬型メディア出力機能のうちの少なくとも１つの機能の処理であることを特徴とする。請求項１５に係る画像処理装置によれば、コピー出力機能，ＦＡＸ送信機能，プリント出力機能，スキャナ出力機能，および可搬型メディア出力機能による画像出力処理の進行具合を容易に把握することができるとともに、画像出力処理でのページ抜けを容易に発見することができる。
【００２０】
請求項１６に係る画像処理装置は、請求項２ないし１４のいずれか１項に記載の画像処理装置において、前記画像入力処理が、コピー入力機能，ＦＡＸ受信機能，プリント入力機能，スキャナ入力機能，および可搬型メディア入力機能のうちの少なくとも１つの機能の処理であることを特徴とする。請求項１６に係る画像処理装置によれば、コピー入力機能，ＦＡＸ受信機能，プリント入力機能，スキャナ入力機能，および可搬型メディア入力機能による画像入力処理の進行具合を容易に把握することができるとともに、画像入力処理でのページ抜けを容易に発見することができる。
【発明を実施するための最良の形態】
【００２１】
１つの機能の動作の、２つ以上の処理の状況がリアルタイムに確認できるという目的を、表示部に画像出力処理中のページを表示し、当該ページの画像出力処理前の部分と画像出力処理後の部分とを異なる表示態様で表示することにより達成した。
【００２２】
以下、本発明の実施例について図面を参照して説明する。
【実施例１】
【００２３】
ここでは、コピー機能，ＦＡＸ機能，プリント機能，スキャナ機能，および可搬型メディア入出力機能を備えた画像処理装置の実施例を、図面を参照して説明する。
【００２４】
図１は、本発明の実施例１に係る画像処理装置１の平面図である。図２は、原稿押さえ板８を開いた状態における、画像処理装置１の平面図である。図３（Ａ）は画像処理装置１の正面図であり、図３（Ｂ）は図１のＡ−Ａ断面略図である。
【００２５】
画像処理装置１は、平面視略正方形に形成されており、装置上面の正面側に操作パネル９が設けられている。また、装置上面には、スキャナ部（画像読取部）３と、原稿押さえ板８とが設けられている。
【００２６】
操作パネル９には、表示部２と、コピー用操作キー５，ＦＡＸ用操作キー６，スキャン用操作キー７，数字キー１０等の操作キー４とが設けられている。
【００２７】
表示部２は、操作パネル９の幅方向の中央付近に配置されており、スキャナ部３によって読み取った被読取媒体（原稿）の画像データや、コピー機能，ＦＡＸ機能，プリント機能，スキャナ機能等を使用する際の情報を表示する。表示部２の縦幅は、画像処理装置１本体の奥行からスキャナ部３の読取面保護部材３ａの奥行を減じた長さと略同じに設定されている。つまり、比較的大きな表示部２が設けられており、そのため、個々の画像データを大きく表示できる。また、表示部２は、横長の四角形状に形成されており、画像データを表示する際には、縦長の画像データを複数個（少なくとも３個）、並置して表示できるようになっている。
【００２８】
表示部２は、例えば、図４に示すように、縦幅と横幅との比が３：４（又は９：１６）の単位パネル１９ａ，１９ｂを２つ、横方向に連結して一体化して形成されている。また、２つの単位パネル１９ａ，１９ｂの表面に一体の保護基材２０が設けられている。このようにすることにより、単位パネル１９ａ，１９ｂの境目がなく、見やすい表示部２となっている。なお、単位パネル１９ａ，１９ｂは、液晶表示装置（ＬＣＤ：Liquid Crystal Display）でなる。
【００２９】
ところで、図４では横長の表示部２を用いて説明したが、図５のような縦長の表示部２も同様の構成を採用することができる。
【００３０】
スキャナ部３は、周知のスキャナであり、例えばＡ４サイズの原稿を読み取れる大きさに形成されている。スキャナ部３は、平面視長方形とされており、長辺が横方向を向くように配置されている。スキャナ部３は、図２に示すように、ガラス等からなる読取面保護部材３ａ，密着型イメージセンサ等のイメージセンサ３ｂ，シャフト３ｃ，駆動ベルト３ｄ等から構成される。モータ（図示しない）が駆動ベルト３ｄを駆動することにより、イメージセンサ３ｂが図２の矢印方向に移動し、読取面保護部材３ａ上に配置された原稿の画像データが読み取られる。読み取られた画像データは表示部２にてカラー画像で表示することができ、また、操作キー４の操作により用紙１２に印刷することもできる。
【００３１】
用紙１２は、例えばＡ４サイズの用紙であり、用紙トレイ１１に堆積されて収納されている。用紙トレイ１１は、図２に示すように、画像処理装置１に対して正面側から出し入れできるようになっている。このように、用紙１２は、装置本体に対して縦向きに入れられており、それに対してスキャナ部３は横向きになっているため、画像処理装置１は、全体として平面視略正方形に形成されている。
【００３２】
図３（Ｂ）に示すように、スキャナ部３の下方には画像記録部１３が設けられている。用紙トレイ１１は、画像記録部１３のさらに下方に配置されている。操作キー４の操作により用紙１２に印刷をする場合、用紙トレイ１１内の用紙１２は最上位の１枚が引き出されて、用紙１２の長手方向にＵターン搬送され、印刷ドラム１３ｂによって画像を印刷される。また、画像処理装置１の装置正面には排紙口１３ａが形成されており、印刷された用紙１２は排紙口１３ａから装置本体の正面側へ排紙される。このようにすることにより、画像処理装置１を使用するユーザに向かって用紙１２が出るため、ユーザが用紙１２を受け取りやすいことになる。
【００３３】
次に、図６を用いて、画像処理装置１の回路ブロック図について説明する。画像処理装置１は、ＣＰＵ（Central Processing Unit）２７と、ＲＡＭ（Random Access Memory）２８と、各種プログラムを記憶するＲＯＭ（Read Only Memory）２９と、これらを接続するバスライン２６と、バスライン２６に接続されたＩ／Ｏ（Input/Output）２５と、バスライン２６に接続された記憶装置２４（例えばＥＥＰＲＯＭ（Electrically Erasable Programmable Read Only Memory）などの不揮発性メモリや、ハードディスクで構成される。また、フラッシュメモリ等の可搬型メディアであってもよい）と、通信ネットワーク１００に接続されてパーソナルコンピュータ３０との間でデータの送受信をする通信インターフェース（図中では「Ｉ／Ｆ」と表示）２３とを備えて構成される。通信インターフェース２３は、有線通信用インターフェースまたは無線通信用インターフェースのいずれが用いられてもよい。Ｉ／Ｏ２５には、既述した表示部２，スキャナ部３，操作キー４，画像記録部１３，およびＦＡＸ送受信部２２が接続されている。ＦＡＸ送受信部２２は、公衆回線に接続されている。
【００３４】
ＲＯＭ２９には、表示制御プログラム２９ａ，制御プログラム２９ｂ等のプログラムが記憶されている。表示制御プログラム２９ａは、表示部２に、複数ページ分の画像データを並置して表示するためのプログラムである。また、制御プログラム２９ｂは、操作キー４の操作に基づいて画像記録部１３，スキャナ部３，ＦＡＸ送受信部２２を稼動させるためのプログラムである。
【００３５】
図７は、表示制御プログラム２９ａによる表示制御処理ｃｐと、監視処理ｍｐと、コピー入力処理ｉｐ１，ＦＡＸ受信処理ｉｐ２，プリント入力処理ｉｐ３，スキャナ入力処理ｉｐ４，および可搬型メディア入力処理ｉｐ５からなる画像入力処理ｉｐと、コピー出力処理ｏｐ１，ＦＡＸ送信処理ｏｐ２，プリント出力処理ｏｐ３，スキャナ出力処理ｏｐ４，および可搬型メディア出力処理ｏｐ５からなる画像出力処理ｏｐと、入力内容リアルタイム表示処理ｉｄｐと、出力内容リアルタイム表示処理ｏｄｐとの間の処理（プロセス）間通信の関係を示す図である。表示制御処理ｃｐと画像入力処理ｉｐとは、監視処理ｍｐを介して互いに通信する。表示制御処理ｃｐと画像出力処理ｏｐとは、監視処理ｍｐを介して互いに通信する。表示制御処理ｃｐと入力内容リアルタイム表示処理ｉｄｐとは直接通信する。表示制御処理ｃｐと出力内容リアルタイム表示処理ｏｄｐとは直接通信する。
【００３６】
図８は、表示制御プログラム２９ａによる表示制御処理ｃｐを示すフローチャートである。
【００３７】
図９は、ＦＡＸ送信処理ｏｐ２に特化した出力内容リアルタイム表示処理ｏｄｐを示すフローチャートである。ＦＡＸ送信処理ｏｐ２に特化した出力内容リアルタイム表示処理ｏｄｐは、ＦＡＸ送信処理ｏｐ２から進行の通知を受け取るか、ＦＡＸ送信処理ｏｐ２のカウンタを監視するかして、更新表示を行う。
【００３８】
なお、スキャナ入力処理ｉｐ４に特化した入力内容リアルタイム表示処理ｉｄｐは、ほぼ、スキャナ入力処理ｉｐ４がＲＡＭ２８に保存してゆくデータをそのまま表示部２に表示していくだけの処理のため、そのフローチャートの図示を省略する。
【００３９】
図１０は、一般化した出力内容リアルタイム表示処理ｏｄｐを示すフローチャートである。一般化した出力内容リアルタイム表示処理ｏｄｐは、画像出力処理ｏｐから進行の通知を受け取るか、画像出力処理ｏｐのカウンタを監視するかして、更新表示を行う。画像出力処理ｏｐ毎に、異なる出力内容リアルタイム表示処理ｏｄｐがあるが、上記点は変わりない。
【００４０】
なお、一般化した入力内容リアルタイム表示処理ｉｄｐも、ほぼ、画像入力処理ｉｐがＲＡＭ２８に保存してゆくデータをそのまま表示部２に表示していくだけの処理のため、そのフローチャートの図示を省略する。
【００４１】
図１１（ａ）〜（ｄ）は、本実施例１に係る画像処理装置１による表示部２における入出力リアルタイム表示の遷移例の前半を示す。この遷移例では、表示部２に、右側から見て、ＦＡＸ送信待ちのページ内容が表示される入力内容表示領域と、現在ＦＡＸ送信中のページ内容が表示される出力中内容表示領域と、ＦＡＸ送信済のページ内容が表示される出力内容表示領域との３つの表示領域が、この順番に形成されているものとする。
【００４２】
図１２（ｅ）〜（ｉ）は、本実施例１に係る画像処理装置１による表示部２における表示の遷移例の後半を示す。
【００４３】
次に、このように構成された実施例１に係る画像処理装置１の動作について、図１〜図１２を参照しながら説明する。
【００４４】
以下、ＦＡＸ送信機能の動作を例にとって、すなわち、画像入力処理ｉｐがスキャナ入力処理ｉｐ４、画像出力処理ｏｐがＦＡＸ送信処理ｏｐ２である場合を例にとって説明する。
【００４５】
操作キー４の操作によりＦＡＸ送信が指示されると、表示制御処理ｃｐは、表示部２の画面を待機表示から入出力処理表示へと切り替える（図８のＳ１０１）。
【００４６】
次に、表示制御処理ｃｐは、画像入力が開始されたかどうかを判断する（図８のＳ１０２）。ここでは、表示制御処理ｃｐは、スキャナ部３でのスキャナ入力処理ｉｐ４（原稿読取）が開始したときに、ＹＥＳと判断する。すなわち、スキャナ入力処理ｉｐ４から画像入力開始の通知を得ることで、表示制御処理ｃｐは、スキャナ入力処理ｉｐ４が開始したと判断する。なお、スキャナ入力処理ｉｐ４が起動しているのかを監視する監視処理ｍｐがあり、監視処理ｍｐからスキャナ入力処理ｉｐ４が起動しているとの情報を取得したとき、もしくはスキャナ入力処理ｉｐ４が起動するときに起動フラグを立てており、その起動フラグを確認したときに、画像入力が開始したと判断するなどしてもよい。
【００４７】
スキャナ入力処理ｉｐ４は、ユーザによる操作キー４の押下などを契機にして開始する。スキャナ入力処理ｉｐ４は、スキャナ部３のイメージセンサ３ｂで原稿を読み取り、読み取った画像データをＲＡＭ２８にリアルタイムに保存していく。スキャナ入力開始時に、スキャナ入力処理ｉｐ４は、まず、原稿の横幅の値を取得する。原稿の横幅の値は、イメージセンサ３ｂで原稿のサイズを測るか、原稿サイズをユーザ指定されるかで決定される。次に、スキャナ入力処理ｉｐ４は、原稿を読み取って生成する画像データの色数・解像度の値を取得する。生成される画像データの色数・解像度は、画像出力処理ｏｐが何であるかで決定される、もしくは選択範囲が限定されてその中からユーザにより選択される。最後に、スキャナ入力処理ｉｐ４は、画像入力開始の通知を表示制御処理ｃｐに行う。また、１ページ分の原稿のスキャナ入力を終了するたびに、スキャナ入力処理ｉｐ４は、「入力終了フラグ」をＯＮする。さらに、新たなページのスキャナ入力を開始するたびに、スキャナ入力処理ｉｐ４は、「入力終了フラグ」をＯＦＦする。
【００４８】
画像入力開始の通知が行われると、表示制御処理ｃｐは、「画像入力開始」（図８のＳ１０２）において、ＹＥＳと判断する。通知の代わりにフラグをＯＮにするなどしてもよい。画像入力が開始されたと判断すると（図８のＳ１０２：ＹＥＳ）、表示制御処理ｃｐは、１ページ目の画像データを表示部２の入力内容表示領域に表示し、画像データをリアルタイム表示する（図８のＳ１０３）。詳しくは、表示制御処理ｃｐは、スキャナ入力処理ｉｐ４で原稿から取得された画像データを表示部２にリアルタイムに表示するスキャナ入力処理ｉｐ４に特化した入力内容リアルタイム表示処理ｉｄｐを起動する。
【００４９】
スキャナ入力処理ｉｐ４に特化した入力内容リアルタイム表示処理ｉｄｐは、起動時に、まず、どの画像入力処理ｉｐでＲＡＭ２８に保存される画像データをリアルタイム表示するのかという情報を取得する。どの画像入力処理ｉｐが起動しているのかを監視する監視処理ｍｐがあり、監視処理ｍｐから情報を取得するか、もしくはスキャナ入力処理ｉｐ４が起動するときに起動フラグを立てており、そのフラグを確認するかのどちらでもよい。表示制御処理ｃｐが、処理パラメータ情報をあらかじめ取得しており、入力内容リアルタイム表示処理ｉｄｐがこの処理パラメータ情報を得るようにしてもよい。リアルタイム表示対象のスキャナ入力処理ｉｐ４で処理している原稿の横幅・色数・解像度の情報を取得する。表示制御処理ｃｐが、処理パラメータ情報をスキャナ入力処理ｉｐ４からあらかじめ取得しており、入力内容リアルタイム表示処理ｉｄｐがこの処理パラメータ情報を得てもよいし、スキャナ入力処理ｉｐ４が処理パラメータ情報を記憶しているメモリ（ＲＡＭ２８または記憶装置２４）から読み出してもよいし、スキャナ入力処理ｉｐ４に問い合わせてもよい。処理パラメータ情報から、入力内容リアルタイム表示処理ｉｄｐは、ＲＡＭ２８に保存されたデータの何バイト分がスキャナ入力の１ライン分に相当するのかを計算する。また、処理パラメータ情報から、入力内容リアルタイム表示処理ｉｄｐは、画像データを表示部２にどれくらいの横幅で表示するかを計算する。さらに、処理パラメータ情報から、入力内容リアルタイム表示処理ｉｄｐは、スキャナ入力の何ライン分の画像データが表示部２の１ラインに相当するかを計算する。以降は、入力内容リアルタイム表示処理ｉｄｐは、ＲＡＭ２８に保存される画像データのバイト数を監視し、表示単位毎に表示の更新を行う。表示単位は、１ライン単位でもよいし、数ライン単位でもよいし、バイト数が増加する都度を１単位としてもよい。この場合、増加バイト数であると１ラインの何分の１になっているのかを計算して表示することになる。
【００５０】
以降は、表示制御処理ｃｐは、スキャナ入力処理ｉｐ４を行い、スキャナ入力処理ｉｐ４の進行の度にスキャナ入力処理ｉｐ４に特化した出力内容リアルタイム表示処理ｏｄｐに通知を行う。通知の代わりに、カウンタを増やすなどしてもよい。
【００５１】
次に、表示制御処理ｃｐは、「画像出力開始」（図８のＳ１０４）において、ＦＡＸ送受信部２２などのＦＡＸ送信処理ｏｐ２が開始したときにＹＥＳと判断する。ＦＡＸ送信処理ｏｐ２から画像出力開始の通知を得ることで、ＦＡＸ送信処理ｏｐ２が開始したと判断する。なお、どの画像出力処理ｏｐが起動しているのかを監視する監視処理ｍｐがあり、監視処理ｍｐからＦＡＸ送信処理ｏｐ２が起動しているとの情報を取得したとき、もしくはＦＡＸ送信処理ｏｐ２が起動するときに起動フラグを立てており、その起動フラグを確認したときに、画像出力が開始されたと判断するなどしてもよい。
【００５２】
ＦＡＸ送信処理ｏｐ２は、スキャナ入力処理ｉｐ４と同じ契機で開始する。ＦＡＸ送信処理ｏｐ２は、起動時に、まず、どの画像入力処理ｉｐでＲＡＭ２８に保存される画像データを出力対象とするのかという情報を取得する。どの画像入力処理ｉｐが起動しているのかを監視する監視処理ｍｐがあり、監視処理ｍｐから情報を取得するか、もしくはスキャナ入力処理ｉｐ４が起動するときに起動フラグを立てており、その起動フラグを確認するかのどちらでもよい。次に、ＦＡＸ送信処理ｏｐ２は、出力対象の画像データの入力を行っているスキャナ入力処理ｉｐ４で処理している原稿の横幅・色数・解像度の情報を取得する。スキャナ入力処理ｉｐ４が処理パラメータ情報を記憶しているメモリ（ＲＡＭ２８または記憶装置２４）から読み出してもよいし、スキャナ入力処理ｉｐ４に問い合わせてもよい。処理パラメータ情報から、ＦＡＸ送信処理ｏｐ２は、ＲＡＭ２８に保存されたデータが何バイト溜まればＦＡＸ送信を開始できるかなどを計算する。１ページ分の原稿の出力を終了する度に、ＦＡＸ送信処理ｏｐ２は、「出力終了フラグ」をＯＮする。新たなページの出力を開始する度に、ＦＡＸ送信処理ｏｐ２は、「出力終了フラグ」をＯＦＦする。スキャナ入力処理ｉｐ４がＲＡＭ２８に保存していく画像データを監視し、画像出力開始できる分だけ溜まれば、ＦＡＸ送信処理ｏｐ２は、画像出力開始の通知を監視処理ｍｐを介して表示制御処理ｃｐに行う。通知の代わりに、フラグをＯＮにするなどしてもよい。
【００５３】
画像出力が開始されたと判断すると（図８のＳ１０４：ＹＥＳ）、「出力中内容表示領域を表示し、入出力内容をリアルタイム表示」（図８のＳ１０５）において、表示制御処理ｃｐは、ＦＡＸ送信処理ｏｐ２で出力された画像データを表示部２にリアルタイムに表示するＦＡＸ送信処理ｏｐ２に特化した出力内容リアルタイム表示処理ｏｄｐを起動する。
【００５４】
ＦＡＸ送信処理ｏｐ２に特化した出力内容リアルタイム表示処理ｏｄｐは、起動時に、まず、ＦＡＸ送信処理ｏｐ２から解像度の情報を取得する。表示制御処理ｃｐが、処理パラメータ情報をＦＡＸ送信処理ｏｐ２からあらかじめ取得しており、出力内容リアルタイム表示処理ｏｄｐがこの処理パラメータ情報を得てもよいし、ＦＡＸ送信処理ｏｐ２が処理パラメータ情報を記憶しているメモリ（ＲＡＭ２８または記憶装置２４）から読み出してもよいし、ＦＡＸ送信処理ｏｐ２に問い合わせてもよい。処理パラメータ情報から、出力内容リアルタイム表示処理ｏｄｐは、何ライン分の画像データが表示部２の１ラインに相当するかを計算する。次に、出力内容リアルタイム表示処理ｏｄｐは、ＦＡＸ送信処理ｏｐ２がＦＡＸ送信の開始時に通知してくる情報を取得する。続いて、出力内容リアルタイム表示処理ｏｄｐは、ＦＡＸ送信処理ｏｐ２が１ラインＦＡＸ送信の度に通知してくる情報を取得する。次に、出力内容リアルタイム表示処理ｏｄｐは、ＦＡＸ送信処理ｏｐ２が１ページＦＡＸ送信終了の度に通知してくる情報を取得する。なお、出力終了フラグがＯＮかを監視してもよい。
【００５５】
詳しくは、ＦＡＸ送信処理ｏｐ２に特化した出力内容リアルタイム表示処理ｏｄｐは、ＦＡＸ送信処理ｏｐ２からＦＡＸ送信処理ｏｐ２の処理パラメータ情報（例えば、解像度）を取得し、処理パラメータ情報から、ＦＡＸ送信処理ｏｐ２がどれくらい進行したならば表示部２の１ラインを表示更新するかを計算する（図９のＳ２０１）。例えば、ＦＡＸ送信処理ｏｐ２が一定の処理単位ごとに通知を行うならば、何回の通知で表示更新を行うかを計算する。また、ＦＡＸ送信処理ｏｐ２が通知を行わず、何バイト分のＦＡＸ送信処理ｏｐ２を行ったというカウンタを持っているだけならば、何バイト分のＦＡＸ送信処理ｏｐ２が終了したならば表示更新するかを計算する。次に、ＦＡＸ送信処理ｏｐ２に特化した出力内容リアルタイム表示処理ｏｄｐは、ＦＡＸ送信処理ｏｐ２がＦＡＸ送信を開始したかどうかを判断する（図９のＳ２０２）。ＦＡＸ送信処理ｏｐ２がＦＡＸ送信を開始したならば（図９のＳ２０２：ＹＥＳ）、ＦＡＸ送信処理ｏｐ２に特化した出力内容リアルタイム表示処理ｏｄｐは、ラインカウンタをリセットする（図９のＳ２０３）。次に、ＦＡＸ送信処理ｏｐ２に特化した出力内容リアルタイム表示処理ｏｄｐは、１ラインをＦＡＸ送信したかどうかを判断する（図９のＳ２０４）。１ラインをＦＡＸ送信していれば（図９のＳ２０４：ＹＥＳ）、ＦＡＸ送信処理ｏｐ２に特化した出力内容リアルタイム表示処理ｏｄｐは、ライン数カウンタを１つ加算し（図９のＳ２０５）、ラインカウンタの値が表示部２での１ライン分に達したかどうかを判定する（図９のＳ２０６）。ラインカウンタの値が表示部２での１ライン分に達していれば（図９のＳ２０６：ＹＥＳ）、ＦＡＸ送信処理ｏｐ２に特化した出力内容リアルタイム表示処理ｏｄｐは、表示部２の表示を１ライン分進め（図９のＳ２０７）、ライン数カウンタをリセットする（図９のＳ２０８）。ラインカウンタの値が表示部２での１ライン分に達していなければ（図９のＳ２０６：ＮＯ）、ＦＡＸ送信処理ｏｐ２に特化した出力内容リアルタイム表示処理ｏｄｐは、ステップＳ２０７およびＳ２０８をスキップする。次に、ＦＡＸ送信処理ｏｐ２に特化した出力内容リアルタイム表示処理ｏｄｐは、ページの終端かどうかを判断し（図９のＳ２０９）、ページの終端でなければ（図９のＳ２０９：ＮＯ）、ステップＳ２０４に制御を戻して、ステップＳ２０４〜Ｓ２０９を繰り返す。ページの終端であれば（図９のＳ２０９：ＹＥＳ）、ＦＡＸ送信処理ｏｐ２に特化した出力内容リアルタイム表示処理ｏｄｐは、次ページがあるかどうかを判断し（図９のＳ２１０）、次ページがあれば（図９のＳ２１０：ＹＥＳ）、ステップＳ２０１に制御を戻して、ステップＳ２０１〜Ｓ２１０を繰り返す。次ページがなければ（図９のＳ２１０：ＮＯ）、ＦＡＸ送信処理ｏｐ２に特化した出力内容リアルタイム表示処理ｏｄｐは、終了する。
【００５６】
以降は、表示制御処理ｃｐは、ＦＡＸ送信処理ｏｐ２を行い、ＦＡＸ送信処理ｏｐ２の進行の度に出力内容リアルタイム表示処理ｏｄｐに通知を行う。通知の代わりに、カウンタを増やすなどしてもよい。
【００５７】
次に、表示制御処理ｃｐは、入力終了フラグを確認することにより、１ページ分の入力が終わったかどうかを判断する（図８のＳ１０６）。１ページ分の入力が終わっていなければ（図８のＳ１０６：ＮＯ）、表示制御処理ｃｐは、出力終了フラグを確認することにより、１ページ分の出力が終わったかどうかを判断する（図８のＳ１１１）。１ページ分の出力が終わっていなければ（図８のＳ１１１：ＮＯ）、表示制御処理ｃｐは、ステップＳ１０６に制御を戻す。
【００５８】
１ページ分の入力が終わっていれば（図８のＳ１０６：ＹＥＳ）、表示制御処理ｃｐは、入力する次ページはあるかどうかを判断する（図８のＳ１０７）。入力する次ページがなければ（図８のＳ１０７：ＮＯ）、表示制御処理ｃｐは、ステップＳ１１１に制御を移す。
【００５９】
入力する次ページがあれば（図８のＳ１０７：ＹＥＳ）、表示制御処理ｃｐは、出力中内容表示領域内での入力かどうかを判断する（図８のＳ１０８）。出力中内容表示領域内での入力であれば（図８のＳ１０８：ＹＥＳ）、表示制御処理ｃｐは、入力内容表示領域にて次ページ画像の入力を開始し（図８のＳ１０９）、ステップＳ１０６に制御を戻す。出力中内容表示領域内での入力でなければ（図８のＳ１０８：ＮＯ）、表示制御処理ｃｐは、入力内容表示領域を複数ページ表示に切り替え、その最下位ページで次ページ画像の入力を開始し（図８のＳ１０９）、ステップＳ１０６に制御を戻す。
【００６０】
一方、出力終了フラグを確認することにより、１ページ分の出力が終わっていれば（図８のＳ１１１：ＹＥＳ）、表示制御処理ｃｐは、出力終了したページを出力内容表示領域に移動し（図８のＳ１１２）、入力内容表示領域にページはあるかどうかを判断する（図８のＳ１１３）。
【００６１】
入力内容表示領域にページがあれば（図８のＳ１１３：ＹＥＳ）、表示制御処理ｃｐは、入力内容表示領域内にある一番以前に入力したページを出力中内容表示領域に移動し（図８のＳ１１４）、ステップＳ１０６に制御を戻す。入力内容表示領域にページがなければ（図８のＳ１１３：ＮＯ）、表示制御処理ｃｐは、表示部２を送信終了画面とし（図８のＳ１１５）、終了する。
【００６２】
ところで、画像出力処理ｏｐを、ＦＡＸ送信処理ｏｐ２に特化せず、一般化した出力内容リアルタイム表示処理ｏｄｐのフローチャートは、図１０のようになる。
【００６３】
詳しくは、出力内容リアルタイム表示処理ｏｄｐは、まず、画像出力処理ｏｐから画像出力処理ｏｐの処理パラメータ情報（ＦＡＸの例ならば、解像度）を取得する。処理パラメータ情報から、画像出力処理ｏｐがどれくらい進行したならば表示部２の１ラインを表示更新するかを計算する（図１０のＳ３０１）。詳しくは、画像出力処理ｏｐが一定の処理単位ごとに通知を行うならば、何回の通知で表示更新を行うかを計算する。また、画像出力処理ｏｐが通知を行わず、何バイト分の画像出力処理ｏｐを行ったというカウンタを持っているだけならば、何バイト分の画像出力処理ｏｐが終了したならば表示更新するかを計算する。次に、出力内容リアルタイム表示処理ｏｄｐは、画像出力処理ｏｐの進行を監視する（図１０のＳ３０２）。すなわち、画像出力処理ｏｐの進行情報を得る。続いて、出力内容リアルタイム表示処理ｏｄｐは、表示更新すべきかどうかを判断する（図１０のＳ３０３）。すなわち、進行状況は表示部２での１ライン分に達したかどうかを判断する。表示更新すべきと判断されると（図１０のＳ３０３：ＹＥＳ）、出力内容リアルタイム表示処理ｏｄｐは、表示部２の表示を１ライン分進める（図１０のＳ３０３）。最後に、出力内容リアルタイム表示処理ｏｄｐは、画像出力処理ｏｐが終了したかどうかを判断し（図１０のＳ３０５）、画像出力処理ｏｐが終了していなければ（図１０のＳ３０５：ＮＯ）、ステップＳ３０１に制御を戻してステップＳ３０１〜Ｓ３０５を繰り返す。画像出力処理ｏｐが終了していれば（図１０のＳ３０５：ＹＥＳ）、出力内容リアルタイム表示処理ｏｄｐは、終了する。
【００６４】
次に、本実施例１に係る画像処理装置１による表示部２における表示の遷移例について、図１１および図１２を用いて説明する。
【００６５】
スキャナ入力開始時には、図１１（ａ）に示すように、読み取った画像データをリアルタイムに表示する。詳しくは、入力内容表示領域にページ枠を表示し、同ページ枠内に読み取られＦＡＸ送信待ちの状態の画像データ（左斜線部分）を表示する。このような表示態様によれば、画像入力処理中のページの画像入力処理前の部分と画像入力処理後の部分とが異なる表示態様で表示されるので、当該ページの画像入力処理がどこまで進んでいるかを容易に把握することができる。
【００６６】
ＦＡＸ送信開始時には、図１１（ｂ）に示すように、読み取った画像データ（左斜線部分）はリアルタイムに展開しながら、ＦＡＸ送信済の画像データ（右斜線部分）を表示していく。詳しくは、入力内容表示領域から出力中内容表示領域にページ枠に移し、読み取ってすでにＦＡＸ送信した画像データ（右斜線部分）と、読み取ったが未ＦＡＸ送信の画像データ（左斜線部分）とが境界を接するように表示する。このような表示態様によれば、画像出力処理中のページの画像出力処理前の部分と画像出力処理後の部分とが異なる表示態様で表示されるとともに、画像入力処理中のページの画像入力処理前の部分と画像入力処理後の部分とが異なる表示態様で表示されるので、画像処理プロセス全体での画像出力処理および画像入力処理がどこまで進んでいるかを容易に把握することができる。
【００６７】
スキャナ入力が次のページに到達すると、図１１（ｃ）に示すように、読み取った画像データ（左斜線部分）の表示をさらに進めていく。詳しくは、入力内容表示領域に新たなページ枠を追加し、同ページ枠内にＦＡＸ送信待ちの画像データ（左斜線部分）を表示する。この表示態様によれば、画像出力処理中のページと画像入力処理中のページとが同時に表示されるので、画像処理プロセス全体での画像入出力処理の進行具合を把握することができる。
【００６８】
ページＦＡＸ送信が完了すると、図１１（ｄ）に示すように、出力内容表示領域にＦＡＸ送信を終了したページ（右斜線部分）を移し、出力中内容表示領域に現在ＦＡＸ送信中のページの前のページを、入力内容表示領域に次のＦＡＸ送信ページを表示する。このような表示態様によれば、画像出力処理中のページと画像出力処理後のページとが同時に表示されるので、画像処理プロセス全体での画像出力処理の進行具合を容易に把握することができる。また、画像出力処理中のページと画像出力処理後のページとが表示部の異なる位置に表示されるので、画像出力処理中のページと画像出力処理後のページとを見比べることが可能になり、両者を容易に識別することができる。さらに、画像出力処理中のページと、画像出力処理後のページと、画像入力処理中または画像入力処理後で画像出力処理前のページとが異なる位置に表示されるので、画像出力処理中のページと、画像出力処理後のページと、画像入力処理中または画像入力処理後で画像出力処理前のページと見比べることにより、三者を容易に識別することができる。さらにまた、画像入出力処理の経過に合わせた順番でページが表示されるので、画像処理プロセス全体の進行具合を容易に把握することができる。
【００６９】
スキャナ入力が次のページに入ると、図１２（ｅ）に示すように、現在ＦＡＸ送信中のページの次に送信されるページを最上位に表示し、それに重ねて表示した領域でスキャナ入力が進んでいく。このような表示態様によれば、複数の画像入力処理中または画像入力処理後で画像出力処理前のページが表示位置をずらして重ねて表示されるので、画像入力処理中または画像入力処理後で画像出力処理前のページが何ページぐらいあるかのを容易に把握することができる。更に、画像出力処理中のページと次に画像出力処理をするページとを見比べることにより、画像入力処理がされなかったページの抜けを容易に発見することができる。
【００７０】
ＦＡＸ送信が次のページに入ると、図１２（ｆ）に示すように、ＦＡＸ送信し終わったページを出力内容表示領域の最上位に表示し、次のページを出力中内容表示領域に表示する。この時に出力内容表示領域の最上位以外のページもＦＡＸ送信済みの表示態様とする。このような表示態様によれば、複数の画像出力処理後のページのうちの、画像出力処理中のページの直前に画像出力処理したページが最上位となるように表示されるので、画像出力処理が完了したページが何ページぐらいあるのかを容易に把握することができる。更に、画像出力処理中のページと直前に画像出力処理したページとを見比べることにより、画像出力処理がされなかったページの抜けを容易に発見することができる。
【００７１】
ＦＡＸ送信待ちのページが残り１枚になると、図１２（ｇ）に示すように、画像入力処理が停止して、画像入力処理中のページは存在しなくなる。
【００７２】
ＦＡＸ送信待ちのページがなくなると、図１２（ｈ）に示すように、入力内容表示領域に表示されていたページ枠が削除される。
【００７３】
ＦＡＸ送信が完了すると、図１２（ｉ）に示すように、出力中内容表示領域に表示されていたページ枠が削除され、出力内容表示領域にＦＡＸ送信完了ページ内容だけが残ることになる。
【００７４】
なお、上記実施例１の動作の説明では、ＦＡＸ送信機能の動作を例にとって、すなわち、画像入力処理ｉｐがスキャナ入力処理ｉｐ４、画像出力処理ｏｐがＦＡＸ送信処理ｏｐ２である場合を例にとって説明したが、画像処理装置１における機能の動作がＦＡＸ送信機能の動作に限定されるものでないことはいうまでもない。画像入力処理ｉｐの任意の１つと画像出力処理ｏｐの任意の１つとの組み合わせで実現される機能の動作を説明することができる。例えば、コピー機能の動作であれば、スキャナ入力処理ｉｐ４とプリント出力処理ｏｐ３との組み合わせで動作を説明することができる。また、ＦＡＸ受信機能の動作であれば、ＦＡＸ受信処理ｉｐ２とプリント出力処理ｏｐ３との組み合わせで動作を説明することができる。
【００７５】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００７６】
【図１】本発明の実施例１に係る画像処理装置を示す平面図。
【図２】原稿押さえ板を開いた状態における画像処理装置の平面図。
【図３】画像処理装置の（Ａ）正面図および（Ｂ）断面略図
【図４】表示部の拡大図。
【図５】スキャナ部の側方に表示部を配置した画像処理装置の例。
【図６】画像処理装置の回路ブロック図。
【図７】各処理（プロセス）間通信の関係を示す図。
【図８】表示制御プログラムによる表示制御処理を示すフローチャート。
【図９】ＦＡＸ送信処理に特化した出力内容リアルタイム表示処理を示すフローチャート。
【図１０】一般化した出力内容リアルタイム表示処理を示すフローチャート。
【図１１】表示部における入出力リアルタイム表示の遷移例の前半。
【図１２】表示部における入出力リアルタイム表示の遷移例の後半。
【符号の説明】
【００７７】
１  画像処理装置
２  表示部
３  スキャナ部
４  操作キー
９  操作パネル
１３  画像記録部
２９ａ  表示制御プログラム（ページ表示手段）
ｃｐ  表示制御処理
ｉｄｐ  入力内容リアルタイム表示処理（画像入力処理経過表示手段）
ｉｐ  画像入力処理
ｉｐ１  コピー入力処理
ｉｐ２  ＦＡＸ受信処理
ｉｐ３  プリント入力処理
ｉｐ４  スキャナ入力処理
ｉｐ５  可搬型メディア入力処理
ｍｐ  監視処理
ｏｄｐ  出力内容リアルタイム表示処理（画像出力処理経過表示手段）
ｏｐ１  コピー出力処理
ｏｐ２  ＦＡＸ送信処理
ｏｐ３  プリント出力処理
ｏｐ４  スキャナ出力処理
ｏｐ５  可搬型メディア出力処理
ｏｐ  画像出力処理
【図３】
2007259350.tif 000003
【図４】
2007259350.tif 000004
【図５】
2007259350.tif 000005
【図６】
2007259350.tif 000006
【図７】
2007259350.tif 000007
【図８】
2007259350.tif 000008
【図９】
2007259350.tif 000009
【図１０】
2007259350.tif 000010
【図１１】
2007259350.tif 000011
【図１２】
2007259350.tif 000012
【図１】
2007259350.tif 000013
【図２】
2007259350.tif 000014